(57)【要約】【課題】リール本体やカバー部材の寸法のバラツキの影響をさほど受けず、カバー部材を安定してリール本体に取着できる魚釣用スピニングリールを提供する。【解決手段】リール本体１ａと、リール本体１ａに形成された係合凹部２７に先端部２８が係合し、ねじ部材によりリール本体１ａの後部に取着されるカバー部材１８と、を備えた魚釣用スピニングリールであって、係合凹部２７と先端部２８との間で、先端部２８の挿入方向Ｐに向かうにしたがい狭小となる傾斜規制部３１を形成し、傾斜規制部３１は、上下方向に関して狭小となる上下方向規制部３２と、左右方向に関して狭小となる左右方向規制部とを備えて構成され、ねじ部材の締付力により先端部２８が傾斜規制部３１を介して係合凹部２７に押し付けられる。【選択図】図４
2018102259.tif 000002
【特許請求の範囲】
【請求項１】
リール本体と、前記リール本体に形成された係合凹部に先端部が係合し、ねじ部材により前記リール本体の後部に取着されるカバー部材と、を備えた魚釣用スピニングリールであって、
前記リール本体の係合凹部と前記カバー部材の先端部との間で、前記先端部の挿入方向に向かうにしたがい狭小となる傾斜規制部を形成し、
前記傾斜規制部は、上下方向に関して狭小となる上下方向規制部と、左右方向に関して狭小となる左右方向規制部とを備えて構成され、
前記ねじ部材の締付力により前記先端部が前記傾斜規制部を介して前記係合凹部に押し付けられることを特徴とする魚釣用スピニングリール。
【請求項２】
前記上下方向規制部は、前記リール本体に形成されて、前記カバー部材の表側に当接する表側規制面と裏側に当接する裏側規制面とから構成され、
前記左右方向規制部は、前記リール本体に形成されて、前記カバー部材の右側に当接する右側規制面と左側に当接する左側規制面とから構成されていることを特徴とする請求項１に記載の魚釣用スピニングリール。
【請求項３】
前記裏側規制面は前記ねじ部材の締付方向に対して交差するように形成され、
前記カバー部材の先端部は、前記ねじ部材の締付力により前記裏側規制面に接面して押し付けられる押付け裏面を有して、側面視先細り形状に形成されていることを特徴とする請求項２に記載の魚釣用スピニングリール。
【発明の詳細な説明】
【技術分野】
【０００１】
本発明は、魚釣用スピニングリールに関する。
【背景技術】
【０００２】
リール本体の後部を保護する目的で、リール本体の後部をカバー部材で覆った魚釣用スピニングリールが知られている（例えば、特許文献１参照）。特許文献１には、リール本体から上方に延びる脚部を、前方に配置される前支柱部と、後方で左右に離間して配置される右支柱部および左支柱部とからなる３本の支柱部で構成することが記載されている。そして、カバー部材の先端に形成した突片からなる係合部を前支柱部に形成した溝条の受部に係合させるとともに、カバー部材の側縁部を、右支柱部および左支柱部で挟むことにより、カバー部材の左右方向の移動および上方向への移動を規制することが記載されている。
【先行技術文献】
【特許文献】
【０００３】
【特許文献１】特開２０１２−４４９４５号公報
【発明の概要】
【発明が解決しようとする課題】
【０００４】
リール本体やカバー部材の素材形状の寸法や塗装、メッキ等の厚み寸法には、バラツキが生じることがある。特許文献１の技術によれば、このバラツキの影響により、係合部と受部とでなされる係合機能と、カバー部材の側縁部と右支柱部、左支柱部とでなされる移動規制機能とを両立できないおそれがある。例えば、カバー部材の塗装或いはメッキがバラツキにより厚く形成されていた場合、係合部が受部に完全に係合する前の段階で、カバー部材の側縁部が右支柱部と左支柱部とに挟まれて引っ掛かってしまい、カバー部材をそれ以上前方へ移動できないことが考えられる。この場合、係合部と受部との係合が不完全となることから、カバー部材の先端部にがたつきが生じるおそれがある。
【０００５】
また、カバー部材が止めねじによりリール本体に締付け固定される場合、前記バラツキの影響で、止めねじの締付力が移動規制機能および係合機能に効果的に作用しないおそれがある。
【０００６】
本発明はこのような課題を解決するために創作されたものであり、リール本体やカバー部材の寸法のバラツキの影響をさほど受けず、カバー部材を安定してリール本体に取着できる魚釣用スピニングリールを提供することを目的とする。
【課題を解決するための手段】
【０００７】
前記課題を解決するため、本発明は、リール本体と、前記リール本体に形成された係合凹部に先端部が係合し、ねじ部材により前記リール本体の後部に取着されるカバー部材と、を備えた魚釣用スピニングリールであって、前記リール本体の係合凹部と前記カバー部材の先端部との間で、前記先端部の挿入方向に向かうにしたがい狭小となる傾斜規制部を形成し、前記傾斜規制部は、上下方向に関して狭小となる上下方向規制部と、左右方向に関して狭小となる左右方向規制部とを備えて構成され、前記ねじ部材の締付力により前記先端部が前記傾斜規制部を介して前記係合凹部に押し付けられることを特徴とする。
【０００８】
本発明によれば、カバー部材の先端部がねじ部材の締付力により傾斜規制部を介して係合凹部に押し付けられる。これにより、先端部は、たとえ塗装やメッキの厚みにバラツキがあったとしても、傾斜規制部によりバラツキが吸収されつつ、上下方向および左右方向にがたつくことなく位置決めされる。
【０００９】
また、本発明は、前記上下方向規制部は、前記リール本体に形成されて、前記カバー部材の表側に当接する表側規制面と裏側に当接する裏側規制面とから構成され、前記左右方向規制部は、前記リール本体に形成されて、前記カバー部材の右側に当接する右側規制面と左側に当接する左側規制面とから構成されていることを特徴とする。
【００１０】
本発明によれば、上下方向規制部および左右方向規制部をリール本体側に容易に形成できる。
【００１１】
また、本発明は、前記裏側規制面は前記ねじ部材の締付方向に対して交差するように形成され、前記カバー部材の先端部は、前記ねじ部材の締付力により前記裏側規制面に接面して押し付けられる押付け裏面を有して、側面視先細り形状に形成されていることを特徴とする。
【００１２】
本発明によれば、押付け裏面を利用して、カバ―部材の先端部を係合凹部に効率良く押し付けて係合させることができる。
【発明の効果】
【００１３】
本発明によれば、リール本体やカバー部材の寸法のバラツキの影響をさほど受けずに、カバー部材を安定してリール本体に取着できる
【図面の簡単な説明】
【００１４】
【図１】本発明に係る魚釣用スピニングリールの全体を示す説明図であり、（ａ），（ｂ）はそれぞれ側面図、後面図である。
【図２】リール本体の側断面図である。
【図３】第１実施形態に係るカバー部材の説明図であり、（ａ）は側面図、（ｂ）は図３（ａ）におけるＡ矢視図、（ｃ）は側断面図である。
【図４】第１実施形態に係る係合凹部とカバー部材の先端部との係合状態を示す側断面図である。
【図５】図４におけるＢ矢視図である。
【図６】図４におけるＣ−Ｃ断面図である。
【図７】図４におけるＤ−Ｄ断面図である。
【図８】第２実施形態に係る係合凹部とカバー部材の先端部との係合状態を示す平面図である。
【図９】第３実施形態に係る係合凹部とカバー部材の先端部との係合状態を示す平面図である。
【図１０】上下方向規制部および左右方向規制部の変形例を示す模式図であり、（ａ）は平面図、（ｂ）は側面図である。
【発明を実施するための形態】
【００１５】
本発明に係る魚釣用スピニングリールの実施形態について図面を参照して説明する。なお、以下の説明において、「前後方向」、「左右方向」、「上下方向」とは、図１に示すように、スプール４を前側に位置させ、竿取付部１３を上側に位置させた状態での方向をいう。
【００１６】
「第１実施形態」
図１に示すように、魚釣用スピニングリール１００は、リール本体１と、リール本体１の前方に回転可能に設けられたロータ３と、このロータ３の回転運動と同期して前後方向移動可能に設けられたスプール４とを有している。リール本体１の後部には、リール本体１の後部を覆って保護するカバー部材１８が取り付けられている。
【００１７】
リール本体１は、軽量化が図れる材料、例えば、アルミニウム合金、チタン合金、マグネシウム合金等の金属や、ＡＢＳ樹脂、ＰＡ樹脂等の高強度樹脂や、ＣＦＲＰ、ＧＦＲＰ等の繊維強化樹脂等で剛性構造に形成されている。リール本体１には、必要に応じて、その表面に外観を向上するための装飾層が施されている。
【００１８】
リール本体１は、一側に開口する内部空間ＳＰ（図２）が形成されるリールボディ１ａと、この内部空間ＳＰを閉じる蓋体１ｂとを有している。蓋体１ｂは、複数のねじ５でリールボディ１ａに固定される。リールボディ１ａおよび蓋体１ｂには、図示しない軸受部材がそれぞれ配置されており、これらの軸受部材を介して左右方向に沿うハンドル軸２ａが回転可能に支持されている。ハンドル軸２ａの突出端部には、ハンドル２が取り付けられている。このハンドル２は、図に示す左側位置から、必要に応じて反対側に付け替えることができる。
【００１９】
本発明の趣旨から外れるため詳述はしないが、図２に示すように、内部空間ＳＰには、ハンドル軸２ａと一体回転するドライブギヤ２ｂ等を備えた巻取駆動機構６と、スプール往復動機構７とが内蔵されている。スプール往復動機構７は、ドライブギヤ２ｂの後方斜め下に配置されているため、これに合わせてリール本体１の後部は、ドライブギヤ２ｂの収容部から後方斜め下に向けて膨出するように形成されている。この膨出したリール本体１の後端部８を境に、リール本体１の後部には、概ね、後方斜め下に面するように傾斜した後部下面９と、後方斜め上に面するように傾斜した後部上面１０とが形成される。後部下面９には、後述するカバー部材１８の貫通孔２３（図３（ｃ））に嵌合する有底円筒状のボス部１１が形成されている。
【００２０】
以上の魚釣用スピニングリールは、ハンドル２の回転操作によりハンドル軸２ａを回転させると、スプール往復動機構７を介してスプール４が前後に往復動するとともに、巻取駆動機構６を介してロータ３が回転駆動される。これにより、スプール４の巻回胴部４ａには釣糸案内部を介して釣糸が均等に巻回される。
【００２１】
「脚部１２」
図１において、リールボディ１ａの上部には、上方に延在する脚部１２が一体に形成されている。脚部１２の上端部には、前後方向に延在し、図示しない釣竿に固定される竿取付部１３が一体に形成されている。リールボディ１ａに対する脚部１２の根元周りは、前側に位置する前支柱部１４と、後側で左右方向に二股に分岐形成された右支柱部１５および左支柱部１６とから構成されている。
【００２２】
前支柱部１４は、ハンドル軸２ａの略直上の辺りから斜め前に傾斜しつつ上方に延在しており、前後幅よりも左右幅の方が幅広に形成されている。右支柱部１５および左支柱部１６は、前支柱部１４の後方から斜め前に傾斜しつつ上方に延在して前支柱部１４の上端に繋がる。右支柱部１５の右端から左支柱部１６の左端にわたる左右幅は、前支柱部１４の左右幅と略同じ寸法である。右支柱部１５の根元と左支柱部１６の根元との間から前支柱部１４の根元までにかけて、リールボディ１ａの上部には、後方斜め上に面する上面１７が形成されている。
【００２３】
上面１７は、前記した後部上面１０の上端から屈曲して、後部上面１０よりも緩勾配の平面として形成されており、後述する止めねじ２２の締付方向Ｑに略沿う平面として形成されている。図５に示すように、上面１７の右側には、右支柱部１５の根元内側面から前支柱部１４の根元後面に向けて右壁面２９が延在し、上面１７の左側には、左支柱部１６の根元内側面から前支柱部１４の根元後面に向けて左壁面３０が延在している。上面１７の左右幅は、前方に向かうにしたがい幅狭となっており、これに伴って右壁面２９と左壁面３０との左右間距離Ｌ２も前方に向かうにしたがい幅狭になっている。また、右壁面２９および左壁面３０は、上方に向かうにしたがい互いの間隔が幅狭となる傾斜面として形成されている。若干傾斜して上面１７の前方に位置する前支柱部１４の根元には、後に詳述する係合凹部２７が形成されている。
【００２４】
「カバー部材１８」
図２、図３を参照して、カバー部材１８は、リール本体１の後部下面９に倣って下端から後方斜め上に延在するカバー下部１９と、カバー下部１９の上端から屈曲し、リール本体１の後部上面１０に倣って前方斜め上に延在するカバー中間部２０と、カバー中間部２０の上端から屈曲し、リール本体１の上面１７に倣って中間部２０よりも緩勾配で前方斜め上に延在するカバー上部２１と、を備えて構成されている。カバー下部１９には、ボス部１１を内嵌させるとともに止めねじ（ねじ部材）２２を通すための貫通孔２３が形成されている。カバー部材１８は、樹脂材や金属材等により板状に成形され、適宜表面処理が施されている。
【００２５】
カバー部材１８の長手方向視の断面形状は、全長にわたり、図６、図７に示すように、左右方向中央部が若干表面側に膨らむように湾曲形成された中央面部２４と、中央面部２４の両端からリール本体１側に向かうにしたがい幅広となるように傾斜した右側面部２５および左側面部２６とを備えた形状からなる。カバー部材１８の左右幅寸法については、全長にわたって一定ではなく、本実施形態では、カバー上部２１においては図３（ｂ）に示すように後方に向かうにしたがい幅狭となり、カバー上部２１と中間部２０との屈曲部辺りからカバー下部１９の下端までにかけては次第に幅広となるように形成されている。
【００２６】
以上のように構成されたカバー部材１８は、後に詳述するようにカバー上部２１の先端部２８が係合凹部２７に係合したうえで、カバー下部１９、カバー中間部２０、カバー上部２１がそれぞれ後部下面９、後部上面１０、上面１７を覆うようにリール本体１に取り付けられて、ボス部１１に螺合する止めねじ２２により締付け固定される。カバー上部２１と右支柱部１５、左支柱部１６との間には十分な隙間が形成されている。つまり、図７に示すように、カバー部材１８と右壁面２９、左壁面３０との間には十分な距離の隙間Ｓが形成され、カバー部材１８が右支柱部１５、左支柱部１６に接触しない構造となっている。したがって、従来技術のように、塗装やメッキ等の厚みのバラツキにより、カバー部材１８が右支柱部１５および左支柱部１６の内側面に引っ掛かって、挿入方向Ｐに移動できないという問題が回避される。カバー部材１８の先端部２８は、止めねじ２２の締付力により、後述する裏側規制面３５に接面して押し付けられる押付け裏面３８を有して、側面視先細り形状に形成されている。
【００２７】
「傾斜規制部３１」
図４、図５において、リール本体１の係合凹部２７とカバー部材１８のカバー上部２１の先端部２８との間には、先端部２８の挿入方向Ｐに向かうにしたがい狭小となる傾斜規制部３１が形成されている。傾斜規制部３１は、上下方向に関して狭小となる上下方向規制部３２と、左右方向に関して狭小となる左右方向規制部３３とを備えて構成されている。
【００２８】
係合凹部２７は、前支柱部１４の根元後面に形成されている。係合凹部２７には、上下方向規制部３２として、カバー部材１８の先端部２８の表側、つまり中央面部２４の表面に当接する表側規制面３４と、カバー部材１８の先端部２８の裏側に当接する裏側規制面３５と、が形成されている。表側規制面３４と裏側規制面３５とは、その上下間距離が、先端部２８の挿入方向Ｐに向かうにしたがい狭小となるように形成されている。本実施形態では、挿入方向Ｐと止めねじ２２の締付方向Ｑとは略平行である。表側規制面３４は、上面１７と略平行に形成されており、止めねじ２２の締付方向Ｑに略沿う面として形成されている。また、表側規制面３４は、図６に示すように、カバー部材１８の中央面部２４に略倣って湾曲形成されている。一方、裏側規制面３５は、図４に示すように、上面１７の前端から上面１７よりも急勾配の傾斜面として形成されており、止めねじ２２の締付方向Ｑに対して交差するように形成されている。
【００２９】
係合凹部２７には、左右方向規制部３３として、カバー部材１８の右側に当接する右側規制面３６と、左側に当接する左側規制面３７とが形成されている。右側規制面３６は右壁面２９の延長面として形成されるとともに、左側規制面３７は左壁面３０の延長面として形成されている。右側規制面３６と左側規制面３７とは、その左右間距離が、先端部２８の挿入方向Ｐに向かうにしたがい狭小となるように形成されている。
【００３０】
「作用」
カバー部材１８をリール本体１の後部に取着する際には、カバー上部２１の先端部２８を挿入方向Ｐに沿って係合凹部２７に挿入したうえで、止めねじ２２で締付け固定する。先端部２８は、止めねじ２２の締付力により、表面側、裏面側がそれぞれ表側規制面３４、裏側規制面３５に押し付けられる。これにより、カバー部材１８の先端部２８は、たとえ塗装やメッキの厚みにバラツキがあったとしても、挿入方向Ｐに向かうにしたがい上下方向に狭小となる表側規制面３４と裏側規制面３５との間に形成される楔領域でバラツキが吸収されつつ、上下方向（表裏方向）に関してがたつきなく位置決めされる。特に、先端部２８は、裏側規制面３５と接面するように形成された押付け裏面３８を有して、側面視先細り形状となっており、先端部２８の中央面部２４も表側規制面３４に接面するので、止めねじ２２の締付力が面接触により上下方向に分散して先端部２８に作用することとなり、過度の力が先端部２８に加わることがない。
【００３１】
また、先端部２８は、右側面部２５、左側面部２６がそれぞれ右側規制面３６、左側規制面３７に押し付けられる。これにより、カバー部材１８の先端部２８は、たとえ塗装やメッキの厚みにバラツキがあったとしても、挿入方向Ｐに向かうにしたがい左右方向に狭小となる右側規制面３６と左側規制面３７との間に形成される楔領域でバラツキが吸収されつつ、左右方向に関してがたつきなく位置決めされる。特に、右側面部２５、左側面部２６がそれぞれ右側規制面３６、左側規制面３７に接面して押し付けられるように構成すれば、止めねじ２２の締付力が面接触により左右方向に分散して先端部２８に作用することとなり、過度の力が先端部２８に加わることがない。
【００３２】
もし、塗装やメッキの厚みのバラツキ等により、先端部２８が片当りして各規制面に当接したとしても、止めねじ２２の締付力を受けて先端部２８が各規制面に沿って弾性変形することで、先端部２８を各規制面に対して面接触に近い状態で係合させることができる。また、本発明によれば、先端部２８に従来技術のように突片からなる係合部を形成する必要がなく、先端部２８全体で係合するので、突片の破損等の問題も生じず、カバー部材１８の耐久性が向上する。
【００３３】
「第２実施形態」
図８を参照して第２実施形態を説明する。第２実施形態は、係合凹部２７側については、第１実施形態の図４に示したものと同様に、上下方向規制部３２として、上下間距離が挿入方向Ｐに向かうにしたがい狭小となる表側規制面３４および裏側規制面３５が形成され、左右方向規制部３３として、左右間距離が挿入方向Ｐに向かうにしたがい狭小となる右側規制面３６および左側規制面３７が形成されている。一方、カバー部材１８においては、先端部２８の両側に角部４１が形成され、この角部４１が右側規制面３６および左側規制面３７に点接触或いは線接触にて突き当てられている。また、図示はしないが、同様の角部を表側規制面３４や裏側規制面３５に対しても点接触或いは線接触にて突き当ててもよい。
【００３４】
第２実施形態によっても、カバー部材１８は、塗装やメッキの厚みのバラツキがあったとしても、右側規制面３６と左側規制面３７とによりバラツキが吸収されつつ、左右方向に関してがたつきなく位置決めされ、表側規制面３４と裏側規制面３５とによりバラツキが吸収されつつ、上下方向（表裏方向）に関してがたつきなく位置決めされる。
【００３５】
「第３実施形態」
図９を参照して第３実施形態を説明する。第１実施形態および第２実施形態では、挿入方向Ｐに向かうにしたがい狭小となる傾斜規制部３１を係合凹部２７に形成した形態であるのに対し、第３実施形態は、傾斜規制部３１を係合凹部２７ではなくカバー部材１８の先端部２８に形成した形態である。先端部２８には、左右方向に関して狭小となる左右方向規制部３３が形成され、図示は省略するが、上下方向に関して狭小となる上下方向規制部３２も形成されている。つまり、先端部２８は上下方向および左右方向に関して先細りに形成されている。
【００３６】
本実施形態のようにカバー部材１８の先端部２８側に傾斜規制部３１を形成することによっても、カバー部材１８は、塗装やメッキの厚みのバラツキがあったとしても、左右方向規制部３３によりバラツキが吸収されつつ、左右方向に関してがたつきなく位置決めされ、上下方向規制部３２によりバラツキが吸収されつつ、上下方向（表裏方向）に関してがたつきなく位置決めされる。
【００３７】
以上、本発明の好適な実施形態を説明した。説明した実施形態では、脚部１２の根元が前支柱部１４、右支柱部１５、左支柱部１６の３つの支柱に分岐しているが、分岐することなしに１つの支柱として形成されたものに対しても本発明は適用可能である。この場合、１つの支柱の根元辺りの後面に係合凹部２７を設けることとなる。
【００３８】
また、傾斜規制部３１の変形例として、図１０（ａ）に示すように、係合凹部２７側に左右方向規制部３３として右側規制面３６および左側規制面３７を形成するとともに、図１０（ｂ）に示すように、先端部２８側に上下方向規制部３２として表側規制面３４および裏側規制面３５を形成してもよい。その逆に、係合凹部２７側に上下方向規制部３２として表側規制面３４および裏側規制面３５を形成するとともに、先端部２８側に左右方向規制部３３として右側規制面３６および左側規制面３７を形成してもよい。
また、上下方向規制部３２と左右方向規制部３３とが滑らかに連なった形状として、先端部２８を先細りの円錐台形状にしてもよい。
【符号の説明】
【００３９】
１      リール本体
９      後部下面
１０      後部上面
１２      脚部
１８      カバー部材
１９      カバー下部
２０      カバー中間部
２１      カバー上部
２２      止めねじ（ねじ部材）
２７      係合凹部
２８      先端部
３１      傾斜規制部
３２      上下方向規制部
３３      左右方向規制部
３４      表側規制面
３５      裏側規制面
３６      右側規制面
３７      左側規制面
３８      押付け裏面
１００    魚釣用スピニングリール
【図１】
2018102259.tif 000003
【図２】
2018102259.tif 000004
【図３】
2018102259.tif 000005
【図４】
2018102259.tif 000006
【図５】
2018102259.tif 000007
【図６】
2018102259.tif 000008
【図７】
2018102259.tif 000009
【図８】
2018102259.tif 000010
【図９】
2018102259.tif 000011
【図１０】
2018102259.tif 000012